(57)【特許請求の範囲】
【請求項１】
鉄骨製の柱と床梁と天井梁の骨組構造体である建物ユニットを用い、下階建物ユニットの上に上階建物ユニットを搭載し、床梁と天井梁をＣ形鋼にて構成してなるユニット建物において、
建物の少なくとも外周に臨む部分で、且つ上階建物ユニットの床梁を下階建物ユニットの天井梁の上に配置してなる部分で、それらの床梁と天井梁それぞれのＣ形鋼の断面の凹所に断熱材を添設するとともに、それらの床梁と天井梁の間隙を封止する気密材を設けてなることを特徴とするユニット建物。
【請求項２】
鉄骨製の柱と床梁と天井梁の骨組構造体である建物ユニットを用い、下階建物ユニットの上に上階建物ユニットを搭載し、床梁と天井梁をＣ形鋼にて構成してなるユニット建物において、
建物の少なくとも外周に臨む部分で、且つ上階建物ユニットの床梁を下階建物ユニットの天井梁の上に配置し、該下階建物ユニットの前面に張り出し状下階建物ユニットを配置してなる部分で、上階建物ユニットの床梁と張り出し状建物ユニットの天井梁それぞれのＣ形鋼の断面の凹所に断熱材を添設するとともに、それらの床梁と天井梁の間隙を封止する気密材を設けてなることを特徴とするユニット建物。
【請求項３】
前記下階建物ユニットと張り出し状下階建物ユニットの相隣る天井梁の上面に気密材を掛け渡すように設け、上階建物ユニットの床梁を該気密材を挟んで上記下階建物ユニットの天井梁の上に配置してなる請求項２記載のユニット建物。
【請求項４】
鉄骨製の柱と床梁と天井梁の骨組構造体である建物ユニットを用い、下階建物ユニットの上に上階建物ユニットを搭載してなるユニット建物において、
建物の少なくとも外周に臨む部分で、且つ上階建物ユニットの床梁を下階建物ユニットの天井中間部に配置してなる部分で、その床梁と天井との間に該床梁に添設する断熱材を設けてなることを特徴とするユニット建物。
【発明の詳細な説明】
【０００１】
【発明の属する技術分野】
本発明は高断熱高気密構造のユニット建物に関する。
【０００２】
【従来の技術】
従来、特開平8-128111号公報に記載の如く、鉄骨製の柱と床梁と天井梁の骨組構造体である建物ユニットを用い、下階建物ユニットの上に上階建物ユニットを搭載してなるユニット建物がある。
【０００３】
従来のユニット建物では、下階建物ユニットと上階建物ユニットの間に高気密シール材を配置し、建物の高気密化を図っている。
【０００４】
【発明が解決しようとする課題】
然しながら、従来技術では以下の問題点がある。
▲１▼建物の外周に臨む部分に配置される鉄骨製の床梁や天井梁が高熱伝達性の冷橋部となって、建物内に結露を生じさせることがある。
【０００５】
▲２▼下階建物ユニットの上に上階建物ユニットが 1対 1で存在する部分では、下階建物ユニットの天井梁と上階建物ユニットの床梁の間に挟まれる高気密シール材の存在によって気密化が図られるが、下階建物ユニットの上の全部もしくは一部に上階建物ユニットの存在がない部分では、高気密シール材が配置されず、気密化が図られない。
【０００６】
本発明の課題は、鉄骨梁からなるユニット建物において、鉄骨梁の冷橋化による結露の発生を防止することにある。
【０００７】
また、本発明の課題は、ユニット建物において、下階建物ユニットの上の全部もしくは一部に上階建物ユニットの存在がない部分でも、建物の気密化を図ることにある。
【０００８】
【課題を解決するための手段】
請求項１に記載の本発明は、鉄骨製の柱と床梁と天井梁の骨組構造体である建物ユニットを用い、下階建物ユニットの上に上階建物ユニットを搭載し、床梁と天井梁をＣ形鋼にて構成してなるユニット建物において、建物の少なくとも外周に臨む部分で、且つ上階建物ユニットの床梁を下階建物ユニットの天井梁の上に配置してなる部分で、それらの床梁と天井梁それぞれのＣ形鋼の断面の凹所に断熱材を添設するとともに、それらの床梁と天井梁の間隙を封止する気密材を設けてなるようにしたものである。
【０００９】
請求項２に記載の本発明は、鉄骨製の柱と床梁と天井梁の骨組構造体である建物ユニットを用い、下階建物ユニットの上に上階建物ユニットを搭載し、床梁と天井梁をＣ形鋼にて構成してなるユニット建物において、建物の少なくとも外周に臨む部分で、且つ上階建物ユニットの床梁を下階建物ユニットの天井梁の上に配置し、該下階建物ユニットの前面に張り出し状下階建物ユニットを配置してなる部分で、上階建物ユニットの床梁と張り出し状建物ユニットの天井梁それぞれのＣ形鋼の断面の凹所に断熱材を添設するとともに、それらの床梁と天井梁の間隙を封止する気密材を設けてなるようにしたものである。
【００１０】
請求項３に記載の本発明は、請求項２に記載の本発明において更に、前記下階建物ユニットと張り出し状下階建物ユニットの相隣る天井梁の上面に気密材を掛け渡すように設け、上階建物ユニットの床梁を該気密材を挟んで上記下階建物ユニットの天井梁の上に配置してなるようにしたものである。
【００１１】
請求項４記載の本発明は、鉄骨製の柱と床梁と天井梁の骨組構造体である建物ユニットを用い、下階建物ユニットの上に上階建物ユニットを搭載してなるユニット建物において、建物の少なくとも外周に臨む部分で、且つ上階建物ユニットの床梁を下階建物ユニットの天井中間部に配置してなる部分で、その床梁と天井との間に該床梁に添設する断熱材を設けてなるようにしたものである。
【００１２】
【作用】
請求項１に記載の本発明によれば下記▲１▼、▲２▼の作用がある。
▲１▼建物の外周に臨む部分に配置される上下の建物ユニットの、鉄骨製の床梁と天井梁に断熱材を添設したから、それらの床梁と天井梁とが冷橋部となることを防止でき、これらの床梁や天井梁の冷橋化による建物内での結露発生を防止できる。
【００１３】
▲２▼上階建物ユニットの床梁と下階建物ユニットの天井梁の間に気密材が設けられるから、下階建物ユニットの上に上階建物ユニットが存在する部分での建物の気密化を図ることができる。
【００１４】
請求項２に記載の本発明によれば下記▲３▼、▲４▼の作用がある。
▲３▼建物の外周に臨む部分に配置される、上階建物ユニットの床梁と張り出し状下階建物ユニットの天井梁に断熱材を添設したから、それらの床梁と天井梁とが冷橋部となることを防止でき、それらの床梁や天井梁の冷橋化による建物内での結露発生を防止できる。
【００１５】
▲４▼上階建物ユニットの床梁と張り出し状下階建物ユニットの天井梁の間に気密材が設けられるから、張り出し状下階建物ユニットの上の全部に上階建物ユニットの存在がない部分でも建物の気密化を図ることができる。
【００１６】
請求項３に記載の本発明によれば下記▲５▼の作用がある。
▲５▼下階建物ユニットと張り出し状下階建物ユニットの相隣る天井梁の上面に気密材を掛け渡すように設け、上階建物ユニットの床梁を気密材を挟んで上記下階建物ユニットの天井梁の上に配置した。従って、下階建物ユニットと張り出し状下階建物ユニットの相隣る天井梁の上面に対する気密材の 1回の貼付で、それらの下階間と、下階建物ユニットと上階建物ユニットの上下階間の間隙を封止できる。
【００１７】
請求項４に記載の本発明によれば下記▲６▼、▲７▼の作用がある。
▲６▼建物の外周に臨む部分に配置される、上階建物ユニットの床梁と、これが相対する下階建物ユニットの天井中間部との間に、該床梁に添設される断熱材が設けられる。これにより、上階建物ユニットの床梁が冷橋部となることを防止でき、この床梁の冷橋化による建物内での結露発生を防止できる。
【００１８】
▲７▼上階建物ユニットの床梁と下階建物ユニットの天井中間部との間に断熱材が設けられるから、下階建物ユニットの上の一部に上階建物ユニットの存在がない部分でも建物の気密化を図ることができる。
【００１９】
【発明の実施の形態】
図１は第１実施形態のユニット建物を示す模式図、図２は第１実施形態における気密材の貼付工程を示す模式図、図３は第２実施形態のユニット建物を示す模式図、図４は第３実施形態のユニット建物を示す模式図、図５は第４実施形態のユニット建物を示す模式図である。
【００２０】
（第１実施形態）（図１、図２）
ユニット建物１０は、図１に示す如く、基礎１の上に、複数の建物ユニット１１を上下左右に据付け配置して構築したものである。
【００２１】
建物ユニット１１は、図１に示す如く、鉄骨製の各 4本の柱２１と床梁２２と天井梁２３を箱形に接合した骨組構造体である。本実施形態において、柱２１は角鋼管、床梁２２と天井梁２３は形鋼にて構成される。尚、天井梁２３は天井根太２４を支持し、天井根太２４の下面に天井面材２５を固定し、天井根太２４の上面に天井足場板２６を固定してある。
【００２２】
然るに、ユニット建物１０は、図１に示す如く、建物の外周に臨む部分で、且つ上階建物ユニット１１Ａの床梁２２を下階建物ユニット１１Ｂの天井梁２３の上に配置し、下階建物ユニット１１Ｂの前面に張り出し状下階建物ユニット１１Ｃを配置してなる部分で、下記(A) の断熱構造、(B) の気密構造を採用してある。
【００２３】
(A) 断熱構造
上階建物ユニット１１Ａの床梁２２の断面内に断熱材３１を充填するとともに、張り出し状下階建物ユニット１１Ｃの天井梁２３の断面内で、天井根太２４の上部に断熱材３２を充填してある。断熱材３１、３２としては、グラスウール、ロックウール等の繊維状断熱材を採用できる。
【００２４】
(B) 気密構造
下階建物ユニット１１Ｂと張り出し状下階建物ユニット１１Ｃの相隣る天井梁２３の上面にテープ状の気密材３３を掛け渡すように貼付け（図２）、上階建物物ユニット１１Ａの床梁２２を該気密材３３を挟んで上記下階建物ユニット１１Ｂの天井梁２３の上に配置してある。この気密材３３により、それらの床梁２２と天井梁２３の間隙を封止するものである。気密材３３としては、ウレタン発泡体、ＥＰＤＭ発泡体、ＰＶＣ発泡体等を採用できる。
【００２５】
従って、本実施形態によれば以下の作用がある。
▲１▼建物１０の外周に臨む部分に配置される、上階建物ユニット１１Ａの床梁２２と張り出し状下階建物ユニット１１Ｃの天井梁２３に断熱材３１、３２を添設したから、それらの床梁２２と天井梁２３とが冷橋部となることを防止でき、それらの床梁２２や天井梁２３の冷橋化による建物内での結露発生を防止できる。
【００２６】
▲２▼上階建物ユニット１１Ａの床梁２２と張り出し状下階建物ユニット１１Ｃの天井梁２３の間に気密材が３３設けられるから、張り出し状下階建物ユニット１１Ｃの上の全部に上階建物ユニット１１Ａの存在がない部分でも建物の気密化を図ることができる。
【００２７】
▲３▼下階建物ユニット１１Ｂと張り出し状下階建物ユニット１１Ｃの相隣る天井梁２３の上面に気密材３３を掛け渡すように設け、上階建物ユニット１１Ａの床梁２２を気密材３３を挟んで上記下階建物ユニット１１Ｂの天井梁２３の上に配置した。従って、下階建物ユニット１１Ｂと張り出し状下階建物ユニット１１Ｃの相隣る天井梁２３の上面に対する気密材３３の 1回の貼付で、それらの下階間と、下階建物ユニット１１Ｂと上階建物ユニット１１Ａの上下階間の間隙を封止できる。
【００２８】
（第２実施形態）（図３）
第２実施形態のユニット建物１０が第１実施形態と実質的に異なる点は、気密材３３の設置構造にある。第２実施形態の気密材３３は、横断面をＬ形に折り曲げられ、Ｌ形の一辺側を張り出し状下階建物ユニット１１Ｃの天井梁２３の上フランジに貼付け、Ｌ形の他辺側を上階建物ユニット１１Ａの床梁２２のウエブに貼付けられ、それらの床梁２２と天井梁２３の間隙を封止するものである。
【００２９】
本実施形態によれば、第１実施形態における▲１▼、▲２▼と同様の作用を有する。
【００３０】
（第３実施形態）（図４）
第３実施形態のユニット建物１０は、図４に示す如く、建物の外周に臨む部分で、且つ上階建物ユニット１１Ａの床梁２２を下階建物ユニット１１Ｂの天井中間部に配置してなる部分で、下記(A) の断熱構造、(B) の断熱気密構造を採用してある。
【００３１】
(A) 断熱構造
上階建物ユニット１１Ａの床梁２２の断面内に断熱材３１を充填してある。
【００３２】
(B) 断熱気密構造
上階建物ユニット１１Ａの床梁２２と下階建物ユニット１１Ｂの天井足場板２６との間に、該床梁２２の長手方向に沿って添設する断熱気密材３４を装填し、それらの床梁２２と下階建物ユニット１１Ｂの天井足場板２６の間隙を封止するものである。
【００３３】
断熱気密材３４としては、グラスウール、ロックウール等の繊維状断熱材を採用できる。
【００３４】
従って、本実施形態によれば以下の作用がある。
▲１▼建物１０の外周に臨む部分に配置される、上階建物ユニット１１Ａの床梁２２と、これが相対する下階建物ユニット１１Ｂの天井足場板２６との間に、該床梁２２に添設される断熱気密材３４が設けられる。これにより、上階建物ユニット１１Ａの床梁２２が冷橋部となることを防止でき、この床梁２２の冷橋化による建物内での結露発生を防止できる。
【００３５】
▲２▼上階建物ユニット１１Ａの床梁２２と下階建物ユニット１１Ｂの天井足場板２６との間に断熱気密材３４が設けられるから、下階建物ユニット１１Ｂの上の一部に上階建物ユニット１１Ａの存在がない部分でも建物１０の気密化を図ることができる。
【００３６】
（第４実施形態）（図５）
第４実施形態のユニット建物１０が第３実施形態と実質的に異なる点は、上階建物ユニット１１Ａの床梁２２と下階建物ユニット１１Ｂの天井足場板２６との間の断熱気密構造にある。第４実施形態では、上階建物ユニット１１Ａの床梁２２と下階建物ユニット１１Ｂの天井足場板２６との間に断熱材３１を充填し、上階建物ユニット１１Ａの床梁２２と断熱材３１とに渡るテープ状の気密材３３Ａ（前述の気密材３３と同一）をそれらの床梁２２と断熱材３１の長手方向に沿うように貼付け、更に、テープ状の気密材３３Ｂ（前述の気密材３３と同一）を上述の気密材３３Ａと下階建物ユニット１１Ｂの天井足場板２６とに渡って設けた。気密材３３Ｂは、横断面をＬ形に折り曲げられ、Ｌ形の一辺側を気密材３３Ａの下部に重ねるように貼付けられ、Ｌ形の他辺側を下階建物ユニット１１Ｂの天井足場板２６に貼付けられ、それらの床梁２２と天井足場板２６の間隙を封止するものである。
【００３７】
本実施形態によれば、第３実施形態における▲１▼、▲２▼と同様の作用を有する。
【００３８】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、建物の外周に臨む部分で、且つ下階建物ユニットの上に上階建物ユニットが 1対 1で存在する部分では、上階建物ユニットの床梁と下階建物ユニットの天井梁に断熱材を添設するとともに、それらの床梁と天井梁の間隙を封止する気密材を設けることができる。
【００３９】
【発明の効果】
以上のように本発明によれば、鉄骨梁からなるユニット建物において、鉄骨梁の冷橋化による結露の発生を防止することができる。また、本発明によれば、ユニット建物において、下階建物ユニットの上の全部もしくは一部に上階建物ユニットの存在がない部分でも、建物の気密化を図ることができる。
【図面の簡単な説明】
【図１】図１は第１実施形態のユニット建物を示す模式図である。
【図２】図２は第１実施形態における気密材の貼付工程を示す模式図である。
【図３】図３は第２実施形態のユニット建物を示す模式図である。
【図４】図４は第３実施形態のユニット建物を示す模式図である。
【図５】図５は第４実施形態のユニット建物を示す模式図である。
【符号の説明】
１０  ユニット建物
１１  建物ユニット
１１Ａ  上階建物ユニット
１１Ｂ  下階建物ユニット
１１Ｃ  張り出し状下階建物ユニット
２１  柱
２２  床梁
２３  天井梁
２６  天井足場板（天井中間部）
３１、３２  断熱材
３３、３３Ａ、３３Ｂ  気密材
３４  断熱気密材
【図１】
0003887092.tif 000002
【図２】
0003887092.tif 000003
【図３】
0003887092.tif 000004
【図４】
0003887092.tif 000005
【図５】
0003887092.tif 000006